(57)【要約】【課題】メス型端子とオス型端子の挿抜の際に必要な力を低減するとともに、メス型端子とオス型端子が嵌合している間の電気的な接続を安定して得ることのできる電気コネクタを提供すること。【解決手段】本発明の電気コネクタ１は、回路基板７０に電気的に接続されるメス型端子１０と、メス型端子１０を収容するハウジング５と、を備える。メス型端子１０は、内部の受容室１３にオス型端子３を受容する受容部１１と、受容室１３に設けられる、オス型端子３と電気的に接続される弾性接触片１４と、回路基板７０に電気的に接続される実装部１５と、受容部１１と実装部１５を連結する弾性アーム１９と、を有する。メスハウジング５は、受容部１１を摺動可能に保持し、かつ、受容室１３に挿入されて弾性接触片１４を押し付けるスペーサ７が挿通されるハウジング側通路を有する。【選択図】図２
2019029117.tif 000002
【特許請求の範囲】
【請求項１】
回路基板と電気的に接続されるメス型端子と、
前記メス型端子を収容するハウジングと、を備え、
前記メス型端子は、
内部の受容室にオス型端子を受容する受容部と、前記受容室に設けられる、前記オス型端子と電気的に接続される弾性接触片と、前記回路基板に電気的に接続される実装部と、前記受容部と前記実装部を連結する弾性アームと、を有し、
前記ハウジングは、
前記メス型端子の前記受容部を収容するインナーハウジングと、
前記インナーハウジングを摺動可能に収容するアウターハウジングと、を有し、
前記受容部を摺動可能に保持し、かつ、前記受容室に挿入されて前記弾性接触片を押し付けるスペーサが挿通されるハウジング側通路が、前記インナーハウジングと前記アウターハウジングを貫通して設けられる、
ことを特徴とする電気コネクタ。
【請求項２】
前記受容室は、
前記弾性接触片の一方の面側に設けられる、前記オス型端子が挿入される嵌合領域と、
前記弾性接触片の他方の面側に設けられる、前記スペーサが挿入されるスペーサ領域と、を備える、
請求項１に記載の電気コネクタ。
【請求項３】
前記ハウジング側通路は、
前記オス型端子の挿抜方向において、
前記オス型端子が挿入される側とは反対側における前記アウターハウジング及び前記インナーハウジングに設けられる、
請求項１又は請求項２に記載の電気コネクタ。
【請求項４】
前記メス型端子の前記弾性アームは、
前記受容部に連結される梁部と、一端側が前記梁部に連結され、他端側が前記実装部に連結される柱状部と、を備え、
前記梁部は、前記回路基板と平行に設けられ、
前記柱状部は、前記オス型端子の前記挿抜方向と平行に設けられる、
請求項３に記載の電気コネクタ。
【請求項５】
回路基板と、
前記回路基板の一方の面側に配置される電気コネクタと、を備え、
前記電気コネクタは、
前記回路基板と電気的に接続されるメス型端子と、
前記メス型端子を収容するハウジングと、を備え、
前記メス型端子は、
内部の受容室にオス型端子を受容する受容部と、前記受容室に設けられる、前記オス型端子と電気的に接続される弾性接触片と、前記回路基板に電気的に接続される実装部と、前記受容部と前記実装部を連結する弾性アームと、を有し、
前記ハウジングは、
前記メス型端子の前記受容部を収容するインナーハウジングと、
前記インナーハウジングを摺動可能に収容するアウターハウジングと、を有し、
前記受容部を摺動可能に保持し、かつ、前記受容室に挿入されて前記弾性接触片を押し付けるスペーサが挿通されるハウジング側通路が、前記インナーハウジングと前記アウターハウジングを貫通して設けられる、
ことを特徴とする電子機器。
【請求項６】
前記回路基板は、
前記ハウジングの前記ハウジング側通路に対応する位置に、表裏を貫通する基板側通路を備え、
前記スペーサは、
前記回路基板の他方の面側から、前記基板側通路、前記ハウジング側通路を介して、前記受容室に挿入される、
請求項５に記載の電子機器。
【請求項７】
前記受容室は、
前記弾性接触片の一方の面側に設けられる、前記オス型端子が挿入される嵌合領域と、
前記弾性接触片の他方の面側に設けられる、前記スペーサが挿入されるスペーサ領域と、を備える、
請求項５又は請求項６に記載の電子機器。
【請求項８】
前記ハウジング側通路は、
前記オス型端子の挿抜方向において、
前記オス型端子が挿入される側とは反対側における前記インナーハウジング及び前記アウターハウジングに設けられる、
請求項７に記載の電子機器。
【請求項９】
前記メス型端子の前記弾性アームは、
前記受容部に連結される梁部と、一端側が前記梁部に連結され、他端側が前記実装部に連結される柱状部と、を備え、
前記梁部は、前記回路基板と平行に設けられ、
前記柱状部は、前記オス型端子の挿抜方向と平行に設けられる、
請求項５〜請求項８のいずれか一項に記載の電子機器。
【発明の詳細な説明】
【技術分野】
【０００１】
本発明は、回路基板に接続される電気コネクタに関する。
【背景技術】
【０００２】
電気コネクタ（以下、単にコネクタということがある）は、通常、オス型端子を保持するオスコネクタと、オス型端子と電気的に接続されるメス型端子を保持するメスコネクタとが互いに嵌合されている。
回路基板に接続されるコネクタは、例えば特許文献１及び特許文献２に記載されるように、回路基板（６）のおもて面の側に配置されるメス型端子（１２）と、メス型端子（１２）を保持するハウジング（５）と、を備える。特許文献１，２のコネクタは、メス型端子（１２）が回路基板（６）をうら面からおもて面に向けて貫通するオス型端子（４）と嵌合される。
【先行技術文献】
【特許文献】
【０００３】
【特許文献１】特開２０１４−１０９４９号公報
【特許文献２】特開２０１５−１４６２８９号公報
【発明の概要】
【発明が解決しようとする課題】
【０００４】
特許文献１，２に示されるコネクタは、オス型端子（４）とメス型端子（１２）の電気的な接続を安定して維持するために、オス型端子（４）とメス型端子（１２）の間に必要な接圧を生じさせる。この接圧を得るために、メス型端子（１２）は主リーフ（１６）と従リーフ（１７）という二層の弾性接触片を有する。
電気的な接続を安定して維持するのに必要な接圧は、一方で、メス型端子（１２）にオス型端子（４）を挿入して嵌合する際、及び、両メス型端子（１２）からオス型端子（４）を抜き取って嵌合を解除する際の障害となる。
【０００５】
以上より、本発明は、メス型端子とオス型端子の挿抜の際に必要な力を低減するとともに、メス型端子とオス型端子が嵌合している間の電気的な接続を安定して得ることのできる電気コネクタを提供することを目的とする。また、本発明は、そのような電気コネクタが回路基板と接続された電子機器を提供とすることを目的とする。
【課題を解決するための手段】
【０００６】
本発明の電気コネクタは、回路基板と電気的に接続されるメス型端子と、メス型端子を収容するハウジングと、を備える。
本発明におけるメス型端子は、内部の受容室にオス型端子を受容する受容部と、受容室に設けられる、オス型端子と電気的に接続される弾性接触片と、回路基板に電気的に接続される実装部と、受容部と実装部を連結する弾性アームと、を有する。
本発明におけるハウジングは、メス型端子の受容部を収容するインナーハウジングと、インナーハウジングを摺動可能に収容するアウターハウジングと、を有する。本発明のハウジングは、受容部を摺動可能に保持し、かつ、受容室に挿入されて弾性接触片を押し付けるスペーサが挿通されるハウジング側通路が、インナーハウジングとアウターハウジングを貫通して設けられる。
【０００７】
本発明における受容室は、弾性接触片の一方の面側に設けられる、オス型端子が挿入される嵌合領域と、弾性接触片の他方の面側に設けられる、スペーサが挿入されるスペーサ領域と、を備える、ことができる。
【０００８】
本発明におけるハウジング側通路は、オス型端子の挿抜方向において、オス型端子が挿入される側とは反対側におけるアウターハウジング及びインナーハウジングに設ける、ことができる。
【０００９】
本発明におけるメス型端子の弾性アームは、受容部に連結される梁部と、一端側が梁部に連結され、他方側が実装部に連結される柱状部と、を備えることができる。この弾性アームは、梁部が、回路基板と平行に設けられ、柱状部が、オス型端子の挿抜方向と平行に設けられる。
【００１０】
本発明は、回路基板と、回路基板の一方の面側に配置される電気コネクタと、を備える電子機器を提供する。
この電子機器における電気コネクタは、回路基板と電気的に接続されるメス型端子と、メス型端子を収容するハウジングと、を備える。
本発明におけるメス型端子は、内部の受容室にオス型端子を受容する受容部と、受容室に設けられる、オス型端子と電気的に接続される弾性接触片と、回路基板に電気的に接続される実装部と、受容部と実装部を連結する弾性アームと、を有する。
本発明におけるハウジングは、メス型端子の受容部を収容するインナーハウジングと、インナーハウジングを摺動可能に収容するアウターハウジングと、を有する。本発明のハウジングは、受容部を摺動可能に保持し、かつ、受容室に挿入されて弾性接触片を押し付けるスペーサが挿通されるハウジング側通路が、インナーハウジングとアウターハウジングを貫通して設けられる。
【００１１】
本発明における回路基板は、ハウジングのハウジング側通路に対応する位置に、表裏を貫通する基板側通路が設けられ、スペーサは、回路基板の他方の面側から、基板側通路、ハウジング側通路を介して、受容室に挿入できる。
【００１２】
本発明における受容室は、弾性接触片の一方の面側に設けられる、オス型端子が挿入される嵌合領域と、弾性接触片の他方の面側に設けられる、スペーサが挿入されるスペーサ領域と、を備える、ことができる。
【００１３】
本発明のハウジングにおけるハウジング側通路は、オス型端子の挿抜方向において、オス型端子が挿入される側とは反対側におけるインナーハウジングとアウターハウジングに設ける、ことができる。
【００１４】
本発明のメス型端子における弾性アームは、受容部に連結される梁部と、一端側が梁部に連結され、他端側が実装部に連結される柱状部と、を備えることができる。この弾性アームは、梁部が、回路基板と平行に設けられ、柱状部が、オス型端子の挿抜方向と平行に設けられる。
【発明の効果】
【００１５】
本発明の電気コネクタによれば、スペーサを挿入することで弾性接触片のオス型端子に対する接圧を高くし、また、スペーサ領域からスペーサを後退することで弾性接触片のオス型端子に対する接圧を低くできる。これにより、オス型端子をメス型端子に嵌合するとき又はオス型端子からメス型端子を抜き取るときにはスペーサをスペーサ領域から後退させる。これにより、オス型端子の挿抜を小さい力で行うことができる。一方、メス型端子とオス型端子を嵌合している間にスペーサを挿入すれば、メス型端子とオス型端子の電気的な接続を安定して得ることができる。
【図面の簡単な説明】
【００１６】
【図１】本発明の実施形態に係る電気コネクタの分解斜視図である。
【図２】図４の断面図におけるメス型端子だけを抜き出して示す図である。
【図３】図４の断面図におけるハウジングだけを抜き出して示す図である。
【図４】オス型端子の挿入を開始する時点の図１の電気コネクタを示す断面図である。
【図５】オス型端子の挿入が完了した時点の図１の電気コネクタを示す断面図である。
【図６】オス型端子の挿入が完了した後にスペーサを挿入して嵌合が完了した時点の図１の電気コネクタを示す断面図である。
【発明を実施するための形態】
【００１７】
以下、添付する図面を参照して、本実施形態に係る電気コネクタ１を詳細に説明する。
本実施の形態に係る電気コネクタ１は、図１に示すように、複数、一例として５つのメス型端子１０と、複数のメス型端子１０を収容するメスハウジング５と、から構成される。電気コネクタ１は、メスハウジング５を介して回路基板７０に固定され、メス型端子１０が回路基板７０に電気的に接続される。また、回路基板７０はおもて面７１とうら面７２を有し、電気コネクタ１はうら面７２の側に配置される。
電気コネクタ１において、高さ方向Ｈ、幅方向Ｗ及び長さ方向Ｌを図１に示すように定義する。高さ方向Ｈは、オス型端子３がメス型端子１０に挿抜される方向と一致しており、挿抜方向Ｈと読み替えることもある。
【００１８】
一つのメス型端子１０には、図６に示すように、一つのオス型端子３が電気的に接続される。メス型端子１０はオス型端子３の数に応じた数だけ設けられる。メス型端子１０と互いに嵌合されるオス型端子３は図中の下方に配置される他の機器（図示せず）に接続、固定される。
オス型端子３とメス型端子１０は、異なる対象に各々が固定されるために、振動モードが相違することがある。電気コネクタ１は、この相違する振動モードに対応する構成をメス型端子１０が備えている。
また、電気コネクタ１は、オス型端子３をメス型端子１０に挿入するとき、及び、オス型端子３をメス型端子１０から抜き取るときに必要な力を低減できる構成をメス型端子１０が備えている。
【００１９】
以下、電気コネクタ１の各要素について順に説明する。
［メス型端子１０］
メス型端子１０は、図１及び図２に示すように、オス型端子３を受容する受容部１１と、受容部１１の内部に配置された弾性接触片１４と、回路基板７０に電気的に接続される実装部１５と、受容部１１と実装部１５を連結する弾性アーム１９と、を備える。メス型端子１０は、受容部１１の軸線Ｃが回路基板７０と直交するように配置される。
メス型端子１０は、銅、銅合金のように高導電性の金属板に切断及び折り曲げを施すことにより、受容部１１、弾性接触片１４、実装部１５及び弾性アーム１９が一体的に形成されている。
メス型端子１０は、受容部１１と実装部１５が弾性アーム１９により繋がれていることで、振動が生じたときに受容部１１と実装部１５は独立して変位することができる。
【００２０】
受容部１１は、図２に示すように、オス型端子３が挿入される受容口１２が一端側に開口されたボックス状の形態をなしており、受容口１２から挿入されるオス型端子３を収容する受容室１３を備える。受容部１１の一端側には、弾性アーム１９が一体的に接続されている。受容室１３の内部には、挿入されたオス型端子３と電気的に接触するとともに、オス型端子３を受容部１１の一方の内壁である接点壁１１Ａに向けて押し付ける弾性接触片１４が設けられている。
【００２１】
受容室１３には、弾性接触片１４の一方の面側に設けられる、オス型端子３が挿入される嵌合領域１６と、弾性接触片１４の他方の面側に設けられる、スペーサ７が挿入されるスペーサ領域１７と、を備える。
スペーサ７がスペーサ領域１７に挿入されると、弾性接触片１４は嵌合領域１６の側に押し付けられることで、弾性接触片１４とオス型端子３の接圧が確保される。スペーサ７がスペーサ領域１７から後退すると、弾性接触片１４はスペーサ領域１７の側に容易に変位できる。したがって、オス型端子３を挿入するときには、スペーサ７はスペーサ領域１７から後退される。
【００２２】
受容部１１の外壁には、案内片１８が形成されている。案内片１８は、図４に示すように、メス型端子１０がインナーハウジング４０の収容室４８に収容されることでインナーハウジング４０に対するメス型端子１０の位置決め及び抜け止めを担う。
【００２３】
実装部１５は、回路基板７０のうら面７２と平行をなしており、うら面７２に形成されたプリント配線に電気的に接続される。実装部１５は、メスハウジング５（第１アウターハウジング３０）が回路基板７０に固定されることで、回路基板７０に位置決めされるが、例えばはんだ付けによりうら面７２に固定することもできる。
【００２４】
受容部１１と実装部１５を繋ぐ弾性アーム１９は、図２に示すように、受容部１１に繋がる梁部２１と、梁部２１と実装部１５を繋ぐ柱状部２３と、を備えており、Ｌ字状の形態をなしている。電気コネクタ１が振動を受けると、受容部１１と実装部１５が独立して変位できるように、弾性アーム１９の弾性力が設定される。
【００２５】
梁部２１は、受容部１１の下端側に一体的に接続され、回路基板７０と平行な幅方向Ｗに延設されている。梁部２１は、図１に示すように、Ｓ字状に形成されておりバネ定数が小さい。これにより、梁部２１は、挿抜方向Ｈに容易に撓むことができる。メス型端子１０がインナーハウジング４０に装着されると、受容部１１はインナーハウジング４０に挿抜方向Ｈの動きが所定範囲内に規制されるが、実装部１５は回路基板７０のうら面７２に固定されないので、梁部２１は、柱状部２３との接続部分を固定端とする片持ち梁として機能する。なお、図２において梁部２１は分断して示されているが、平面視では上述の通り、Ｓ字状に連続する。
【００２６】
柱状部２３は、一端側が梁部２１と連結され、他端側が実装部１５と連結されることで、梁部２１と実装部１５を繋ぎ、挿抜方向Ｈと平行に設けられている。これにより、柱状部２３は、実装部１５との接続部分を中心にして、挿抜方向Ｈと直交する幅方向Ｗに主に撓む。
【００２７】
［オス型端子３］
タブ形状のオス型端子３は、図６に示されるように、その先端側が受容部１１の受容室１３に挿入されることでメス型端子１０と嵌合される。
オス型端子３は、受容部１１との良好な電気的な接続を安定して維持するために、各々の表面にめっき膜が施されている。
【００２８】
オス型端子３は、その先端側が受容部１１の受容室１３に挿入されることで、受容部１１と電気的に接続される。弾性接触片１４から押圧力を受けるオス型端子３は受容部１１の内壁に押し付けられる。これにより、受容部１１とオス型端子３の電気的な接続が維持される。
【００２９】
ここで、オス型端子３と受容部１１の電気的な接続を安定して維持するためには、電気コネクタ１を使用している間に、受容部１１とオス型端子３が接続する位置がずれずに維持されることが望まれる。位置ずれを起すと、受容部１１とオス型端子３の接続面の摩耗に伴う接触荷重の不足によって、電気的な接続を維持できなくなることがあるからである。
本実施形態の電気コネクタ１は、受容部１１を保持するインナーハウジング４０が第１アウターハウジング３０に挿抜方向Ｈに摺動可能に保持されていることで、受容部１１とオス型端子３の接続位置がずれずに維持できる。
【００３０】
［メスハウジング５］
メスハウジング５は、図４に示されるように、メス型端子１０を内部に収容する。
本実施形態におけるメスハウジング５は、図１及び図３に示すように、第１アウターハウジング３０、インナーハウジング４０及び第２アウターハウジング５０という３つの要素からなる。これらのハウジングの要素は、各々が絶縁性の樹脂を射出成形することで一体的に形成される。
【００３１】
［第１アウターハウジング３０］
第１アウターハウジング３０は、複数のメス型端子１０とメス型端子１０を保持する複数のインナーハウジング４０を収容する。第１アウターハウジング３０は、図１及び図３に示されるように、上面が開放したほぼ直方体形状を有しており、回路基板７０に対向する底床３１と、底床３１の周縁から立ち上る側壁３５と、底床３１と側壁３５に取り囲まれる収容領域３６と、を備えている。収容領域３６は、メス型端子１０とインナーハウジング４０からなる対を個別に収容するように、区画壁３７により５つの収容室３８に区画されている。
【００３２】
底床３１には、オス型端子３が挿通される挿通孔３２が形成されている。挿通孔３２は、オス型端子３が無理なく挿抜できるようにオス型端子３に対して十分な遊びを有するように開口寸法が設定される。
【００３３】
それぞれの収容室３８には、メス型端子１０の受容部１１を保持するインナーハウジング４０が収容される。インナーハウジング４０が収容室３８の幅方向Ｗの一方の側に配置され、メス型端子１０の柱状部２３及び実装部１５が収容室３８の幅方向Ｗの他方の側に配置される。
【００３４】
第１アウターハウジング３０の長さ方向Ｌの両端の上部にはねじ穴３４，３４が形成される。このねじ穴３４，３４には、第１アウターハウジング３０を回路基板７０に固定するのに用いる図示を省略するねじが締結される。このねじは、回路基板７０に形成される挿通孔７４，７４を貫通する。これにより、電気コネクタ１と回路基板７０は締結により互いに固定される。
【００３５】
［インナーハウジング４０］
インナーハウジング４０は、第１アウターハウジング３０の収容室３８においてメス型端子１０を保持する。
インナーハウジング４０は、図３に示すように、第１アウターハウジング３０の底床３１に対向する底床４１と、底床４１の周囲から立ち上る側壁４３と、底床４１に対向し側壁４３の上端に連なる上壁４６と、底床４１、側壁４３及び上壁４６に取り囲まれる収容室４８と、を備えている。
底床４１は、幅方向Ｗに沿って設けられ、オス型端子３が挿通される挿通孔４２を備える。挿通孔４２は、底床４１の表裏を貫通し、第１アウターハウジング３０の挿通孔３２よりも開口寸法が小さく形成されている。これにより、挿通孔３２を通過したオス型端子３を受容部１１の嵌合領域１６に誘い込むことができる。
【００３６】
上壁４６は、スペーサ７が挿通されるインナー側通路４７が表裏を貫通して形成される。インナー側通路４７は、挿入されるスペーサ７が弾性接触片１４と受容部１１の側面との間のスペーサ領域１７に導かれる位置に形成されている。
【００３７】
側壁４３は、高さ方向Ｈに沿って設けられ、メス型端子１０の案内片１８が挿入される案内溝４４が底床４１との境界近傍に形成されている。案内溝４４は、側壁４３の内側から外側に向けて後退するように形成されている。案内溝４４は、案内片１８を介してメス型端子１０の高さ方向Ｈの変位を規制する。
【００３８】
［第２アウターハウジング５０］
第２アウターハウジング５０は、図１及び図３に示されるように、回路基板７０とメス型端子１０が装着された第１アウターハウジング３０及びインナーハウジング４０と回路基板７０との間に挟みこまれる。こうして第２アウターハウジング５０は第１アウターハウジング３０の上部に位置する開口を覆う。
【００３９】
第２アウターハウジング５０は、図３に示すように、基体５１と、基体５１の幅方向Ｗの一端側に設けられる垂下壁５５と、基体５１の幅方向Ｗの他端側に設けられる端子保持ブロック５９と、を備える。
【００４０】
基体５１は、スペーサ７が挿通されるアウター側通路５２と、回路基板７０の基板側通路７３に嵌入されるブッシュ５３と、を備える。
アウター側通路５２は、基体５１の表裏を貫通し、平面視して長円形の形状を有している。アウター側通路５２は、５つのスペーサ７をそれぞれに対応するメス型端子１０に挿通するのに足りる開口面積を有している。アウター側通路５２はインナー側通路４７とともに本発明におけるハウジング側通路を形成し、このハウジング側通路はインナーハウジング４０と第２アウターハウジング５０を貫通して形成される。また、このハウジング側通路（インナー側通路４７及びアウター側通路５２）は、オス型端子３がメス型端子１０の嵌合領域１６に挿入される側とは反対側のハウジング５に設けられる。
【００４１】
ブッシュ５３は、アウター側通路５２の周囲の半周程度を取り囲むように形成されている。ブッシュ５３は、基体５１から回路基板７０に向けて立ち上がるが、回路基板７０の基板側通路７３からおもて面７１から突出しない程度の高さを有している。
【００４２】
［スペーサ７］
スペーサ７は、図６に示すように、メス型端子１０の受容部１１に設けられるスペーサ領域１７に挿入されることで、弾性接触片１４の弾性変位を拘束して、嵌合領域１６に挿入されたオス型端子３と弾性接触片１４の電気的な接続を維持する。
スペーサ７は、オス型端子３がメス型端子１０と嵌合される前には、図４に示すように、インナーハウジング４０の挿通孔４２の所定位置に係止されることで、スペーサ領域１７から退避している。オス型端子３がメス型端子１０と嵌合されると、スペーサ７はスペーサ領域１７に向けて押し込まれる。
スペーサ７は、その目的を達成できる限り材質は問われず、金属材料、樹脂材料などで構成できる。
【００４３】
［電気コネクタ１の組み付け構造］
電気コネクタ１は、概略以下のようにして組み付けられている。
第１アウターハウジング３０は回路基板７０とねじ（図示せず）により固定される。これにより第１アウターハウジング３０の回路基板７０に対する変位が拘束される。第１アウターハウジング３０と回路基板７０の間には第２アウターハウジング５０が挟まれており、第２アウターハウジング５０もまた回路基板７０に対する変位が拘束される。
【００４４】
第１アウターハウジング３０は、それぞれの収容室３８にインナーハウジング４０を保持する。それぞれのインナーハウジング４０はメス型端子１０を保持している。インナーハウジング４０は、第１アウターハウジング３０と第２アウターハウジング５０の間に配置される。
【００４５】
インナーハウジング４０は、図３に示すように、高さ方向Ｈの下方において第１アウターハウジング３０との間に微小な間隙Ｇ１が設けられ、また、高さ方向Ｈの上方において第２アウターハウジング５０と微小な間隙Ｇ２が設けられている。これにより、インナーハウジング４０は、第１アウターハウジング３０と第２アウターハウジング５０の間で、間隙Ｇ１及び間隙Ｇ２の範囲で高さ方向Ｈの摺動による変位が許容されている。
また、インナーハウジング４０に保持されるメス型端子１０の受容部１１は、図４に示すように、高さ方向Ｈの下方及び上方においてインナーハウジング４０との間に微小な間隙Ｇ３，Ｇ４が設けられている。これにより、メス型端子１０は、インナーハウジング４０の内部において、間隙Ｇ３及び間隙Ｇ４の範囲で高さ方向Ｈの変位が規制される。
【００４６】
第２アウターハウジング５０は、第１アウターハウジング３０と回路基板７０の間に挟まれている。第２アウターハウジング５０の基体５１は回路基板７０のうら面７２に平行に対向して配置され、ブッシュ５３は回路基板７０の基板側通路７３に挿入される。また、第２アウターハウジング５０の垂下壁５５は、第１アウターハウジング３０の側壁３５の一部を覆う。
【００４７】
［オス型端子３の嵌合動作］
次に、図４〜図６を参照して、電気コネクタ１にオス型端子３を嵌合する手順を説明する。
オス型端子３をメス型端子１０に嵌合するには、図４に示すように、オス型端子３を第１アウターハウジング３０の挿通孔３２に位置決めをする。このとき、スペーサ７は、インナーハウジング４０の所定位置に係止されており、スペーサ領域１７は空隙のままである。したがって、弾性接触片１４は弾性変位が可能である。
【００４８】
次に、図５に示すように、位置決めされていたオス型端子３をメス型端子１０の受容室１３に向けて押し込む。オス型端子３は、嵌合領域１６に押し入って弾性接触片１４を弾性変形させる。嵌合領域１６は当初より広くなるがスペーサ領域１７は狭くなる。
【００４９】
オス型端子３を所定位置まで押し込んだら、図６に示すように、スペーサ７を受容室１３のスペーサ領域１７に押し込む。スペーサ領域１７にスペーサ７が押し込まれることで、弾性接触片１４はオス型端子３を受容部１１の接点壁１１Ａに向けて押し付ける。これにより、オス型端子３は、弾性接触片１４と接点壁１１Ａの間に高い接圧で保持される。
【００５０】
オス型端子３をメス型端子１０から抜き取って嵌合を解除するには、以上の嵌合の手順とは逆の手順を行う。
つまり、スペーサ領域１７に挿入されているスペーサ７をスペーサ領域１７から後退させ、それから、オス型端子３を受容部１１から抜き取る。スペーサ領域１７からスペーサ７が退去しているので、弾性接触片１４によるオス型端子３の接圧は小さい。したがって、オス型端子３を抜き取るのに必要な力は小さくて済む。
【００５１】
［効  果］
以上の構成を備える電気コネクタ１の作用・効果を以下説明する。
電気コネクタ１は、スペーサ領域１７にスペーサ７を挿入することで弾性接触片１４のオス型端子３に対する接圧を高くし、また、スペーサ領域１７からスペーサ７を後退することで弾性接触片１４のオス型端子３に対する接圧を低くできる。これにより、オス型端子３をメス型端子１０に嵌合するとき又はオス型端子３からメス型端子１０を抜き取るときにはスペーサ７をスペーサ領域１７から後退させる。これにより、オス型端子３の挿抜を小さい力で行うことができる。一方、メス型端子１０とオス型端子３を嵌合している間に、スペーサ７をスペーサ領域１７に挿入しておけば、メス型端子１０とオス型端子３の電気的な接続を安定して得ることができる。
【００５２】
電気コネクタ１は、ハウジング側通路が、オス型端子３の挿抜方向Ｈにおいて、オス型端子３が挿入される側とは反対側における第２アウターハウジング５０及びインナーハウジング４０を貫通して設けられる。加えて、電気コネクタ１は、回路基板７０のおもて面７１の側から基板側通路７３を通じてスペーサ７を操作する構成を採用する。したがって、回路基板７０のうら面７２の側に電気コネクタ１が配置されていても、回路基板７０のおもて面７１の側からスペーサ７を操作することで、メス型端子１０とオス型端子３との挿抜力を容易に調整できる。
【００５３】
特許文献１及び特許文献２に開示される従来の電気コネクタは、２つのメス型端子を備えるとともに回路基板との電気的な接続を担う実装部を有するオス型端子を備える。これに対して電気コネクタ１は弾性アーム１９で受容部１１と実装部１５を繋ぐ構成を採用している。したがって、電気コネクタ１は従来の電気コネクタに比べてメス型端子１０の構造を簡易にできるとともに、実装部を有するオス型端子を減らすことができる。
【００５４】
電気コネクタ１は、第１アウターハウジング３０とメス型端子１０の実装部１５が回路基板７０に固定されているのに対して、インナーハウジング４０とメス型端子１０の受容部１１が挿抜方向Ｈに変位が可能である。しかも、受容部１１と実装部１５は挿抜方向Ｈの弾性変形が可能なＬ字状の弾性アーム１９で連結されている。
したがって、オス型端子３と嵌合される受容部１１がオス型端子３を介して振動を受けて挿抜方向Ｈに変位したとしても、その変位は弾性アーム１９の弾性変形で容易に吸収される。このため、受容部１１と嵌合されるオス型端子３が接続される電子機器と、実装部１５が固定される回路基板７０との振動モードが異なるとしても、メス型端子１０とオス型端子３との接続位置を維持しながら回路基板７０と電子機器の各々の振動モードに同調して振動することができる。したがって、電気コネクタ１は、異なる振動モードを有する機器類に固定されるオス型端子３と接続されても、メス型端子１０とオス型端子３の電気的な接続を安定して維持できる。
【００５５】
以上、本発明を実施形態に基づいて説明したが、本発明は上記実施形態に限定されない。
弾性アーム１９の形態は一例にすぎず、上記した効果が得られるのであれば、他の形状、寸法を採用してもよい。例えば、梁部２１はＳ字状ではなく直線状であってもよい。
また、本実施形態では、ボックスタイプのメス型端子、タブタイプのオス型端子の例を示したが、他のタイプのメス型端子、オス型端子に本発明を適用することができる。
これ以外にも、本発明の主旨を逸脱しない限り、上記実施の形態で挙げた構成を取捨選択したり、他の構成に適宜変更したりすることが可能である。
【符号の説明】
【００５６】
１      電気コネクタ
３      オス型端子
５      メスハウジング
７      スペーサ
１０    メス型端子
１１    受容部
１１Ａ  接点壁
１２    受容口
１３    受容室
１４    弾性接触片
１５    実装部
１６    嵌合領域
１７    スペーサ領域
１８    案内片
１９    弾性アーム
２１    梁部
２３    柱状部
３０    第１アウターハウジング
３１    底床
３２    挿通孔
３４    ねじ穴
３５    側壁
３６    収容領域
３７    区画壁
３８    収容室
４０    インナーハウジング
４１    底床
４２    挿通孔
４３    側壁
４４    案内溝
４６    上壁
４７    インナー側通路（ハウジング側通路）
４８    収容室
５０    第２アウターハウジング
５１    基体
５２    アウター側通路（ハウジング側通路）
５３    ブッシュ
５５    垂下壁
５９    端子保持ブロック
７０    回路基板
７１    おもて面
７２    うら面
７３    基板側通路
７４    挿通孔
Ｈ      高さ方向
Ｗ      幅方向
Ｌ      長さ方向
Ｃ      軸線
Ｇ１，Ｇ２，Ｇ３，Ｇ４    間隙
【図１】
2019029117.tif 000003
【図２】
2019029117.tif 000004
【図３】
2019029117.tif 000005
【図４】
2019029117.tif 000006
【図５】
2019029117.tif 000007
【図６】
2019029117.tif 000008